(57)【特許請求の範囲】
【請求項１】
平坦面から山形に隆起した鐙隆起を持つ屋根材を、野地板に間隔を開けて複数固定した突起する短尺で中空の受具に、前記鐙隆起を被せて固定する事を特徴とする通気工法屋根。
【請求項２】
受具を装着した桟木を野地板に固定する事を特徴とする請求項１記載の通気工法屋根。
【請求項３】
桟木を取付板を使用して取り付ける事を特徴とする請求項２記載の通気工法屋根。
【請求項４】
請求項１、請求項２、または、請求項３記載の通気工法屋根に使用される受具。
【請求項５】
軒先部、あるいは棟部、または、その両者に、換気部材を設ける事を特徴とする請求項１、請求項２、または、請求項３記載の通気工法屋根。
【発明の詳細な説明】
【０００１】
【発明の属する技術分野】
この発明は、屋根裏の熱気と水分を、効率よく外気に逃がす通気工法屋根と、それに使用する、外気を取り込み、熱気を逃がし、外気と屋根内部の空気を交流する屋根部材に関する。
【０００２】
【従来の技術】
Ａ．従来、屋根材裏面の通風と、その換気により熱気と水分を逃がす構造には特開平９−３１７１１０号公報に記載されたものがあり、
ａ．防水部材と、
ｂ．その防水部材の上に、長尺の棟部材の継手部材を兼ねた換気部材と、
ｃ．その換気部材に接続した棟部材とが、
ｄ．棟の隙間を持って葺かれた屋根材に跨って、
ｅ．直接取り付けられた棟換気構造となっている。
Ｂ．また、実公昭５８−５００１３号もあり、
ａ．屋根形の主体板の両端の垂れ下がった端部に、
ｂ．換気孔を多数持つＺ形を組み合わせた断面の補助板とにより、
ｃ．主体板の両端に対称に補助板を取り付けた棟部材とし、
ｄ．棟の部分に通気孔を開けた野地板に、
ｅ．その野地板の上に下地板を重ねて、その上に、前記棟部材を被せた通気工法屋根になっている。
【０００３】
【発明が解決しようとする課題】
従来の通気工法屋根には、次の問題がある。
Ａ．屋根材の上に棟部材を取り付けた場合、
ａ．換気部材から侵入した雨水が、排水されずに溜まり、小屋裏に流れ込み、雨漏れするおそれがあり、
ｂ．棟の一部に付けられた、換気部材となるために、換気性能が落ち、
Ｂ．野地板に下地板を重ねた上に被せた場合、
ａ．屋根材の裏面と野地板の上面からの気流が、下地板に遮られて、
ｂ．通気が出来ない。
【０００４】
【課題を解決するための手段】
この発明は、次の通気工法屋根とする。
ａ．平坦面から山形に隆起した鐙隆起を持つ屋根材を、
ｂ．野地板に固定した、突起する中空の受具に、装着し、
ｃ．鐙隆起を受具に被せて固定し、
ｄ．軒先部、あるいは棟部、または、その両者に、換気部材を設ける。
【０００５】
【発明の実施の形態】
Ａ．この発明による屋根材や軒先面戸や立上板は、
ａ．次に代表される金属板や
イ．塗装亜鉛メッキ鋼板
ロ．銅板
ハ．合成樹脂シート張り合わせ金属板等
ｂ．次に代表される合成樹脂板や
イ．塩化ビニル樹脂板
ロ．ポリプロピレン樹脂板
ハ．ポリカーボ樹脂板
ニ．アクリル樹脂板等を
ｃ．次に代表される網を成形している。
イ．塗装亜鉛メッキ金網
ロ．塗装ステンレス金網
ハ．ステンレス金網
ニ．銅網
ホ．合成樹脂シート被覆金網
へ．合成樹脂製網等
【０００６】
Ｂ．この発明に使用される受具や締結具は、
ａ．受具は次に代表される金属板や、それらの塗装板を折り曲げ成形している。
イ．亜鉛メッキ鋼板
ロ．銅メッキ鋼板
ハ．ステンレス鋼板
ニ．アルミニウム合金板
ｂ．締結具は、
イ．タッピングビス
ロ．自己孔あけ機能付きタッピングビス釘
ハ．ボルト・ナット
ニ．釘
ホ．リベット等を使用している。
【０００７】
Ｃ．この発明による、桟木や隙間板や取付板は
ａ．次に代表される金属板や、
イ．塗装亜鉛メッキ鋼板
ロ．塗装ステンレス鋼板
ハ．銅板
ニ．合成樹脂シート張り合わせ金属板等
ｂ．木材や、
ｃ．合成樹脂材を成形する。
【０００８】
【実施例】
発明の実施の形態を次の、実施例１，実施例２，実施例３，実施例４，及び実施例５の５実施例にもとづき、図面を参照して説明する。
【０００９】
実施例１
図１，図２，図３，図４，図５（ａ），及び図６は、この発明の軒先に使用される、実施例１を示すものである。
【００１０】
Ａ．図２と図３に示す、実施例１に使用される屋根材１は、
ａ．板材７を成形した、図２に示す軒先瓦１ａは、
イ．ほぼ平坦な屋根板面１ｃを形成し、
ロ．その屋根板面１ａから山形に隆起した、複数の鐙隆起１ｄを、一定ピッチで形成し、
ハ．その先端に屋根材１の波形に相当し、裏面側にＬ字形に屈曲して鼻面１ｆを形成し、
ニ．その鼻面１ｆから一定ピッチで複数回、クランク状に表面側に屈曲形成し面段差１ｅと、複数の瓦単位１ｈを形成している。
ｂ．また、図３に示す桟瓦１ｂは、
イ．上記の軒先瓦１ａの鼻面１ｆの先端を、表面側にＬ字形に屈曲している。
【００１１】
Ｂ．図４に示す、実施例１の屋根材１は次の様に施工される、
ａ．固定した軒先瓦１ａの鐙隆起１ｄに、鼻面１ｆをそろえた他の軒先瓦１ａの鐙隆起１ｄを重ねて施工し、
ｂ．上記により、複数の軒先瓦１ａを鼻面１ｆをそろえて施工し、
ｃ．その軒先瓦１ａの棟側の面段差１ｅに合わせて、桟瓦１ｂを施工し、
ｄ．その桟瓦１ｂの鐙隆起１ｄに、面段差１ｅをそろえた他の軒先瓦１ａの鐙隆起１ｄを重ねて施工し、
ｅ．複数の軒先瓦１ａと、複数の桟瓦１ｂとを施工し、整然とした複数の瓦単位１ｈからなる屋根材１を施工する。
【００１２】
Ｃ．図５の（ａ）に示す、実施例１に使用される軒先面戸２は、
ａ．板材７を成形し、
ｂ．クランク状に表面側に曲がる打付板２ｃを形成し、
ｃ．その一端をＬ字形に表面側に折り曲げて、その先端を前記軒先瓦１ａの鼻面１ｆに合わせて面戸板２ｄを形成し、
ｄ．その面戸板２ｄに、円形の換気孔２ｂを複数形成している。
【００１３】
Ｄ．図６に示す、実施例１に使用される桟木３と受具４は、
ａ．図６の（ａ）に示す、桟木３は長尺の板材７を成形し、
イ．平坦な底板３ａの両側端をコの字形に折り曲げて、相対する側板３ｂを形成し、
ロ．その側板３ｂをＬ字形に内側に折り曲げて、唇板３ｃを形成している、
ｂ．図６の（ｂ）に示す、受具４は板材７を成形し、
イ．Ｕ字形に折り曲げて背中部４ａと、脇部４ｅを形成し、
ロ．その両方の脇部４ｅを内側に折り曲げて腹部４ｂを形成し、
ハ．また脇部４ｅの端部をＵ字形に切り欠いて口部４ｆを形成している、
ｃ．図６の（ｃ）に示す、軒受具４ｇは、
イ．前記の受具４の高さを、屋根材１の面段差１ｅに相当する高さ分、高く形成している。
ｄ．図６の（ｄ）に示す、桟木３と受具４との施工は、
イ．屋根下地５に締結具６により桟木３の底板３ａを固定し、
ロ．その桟木３の唇板３ｃを受具４の口部４ｆに差し込み、
ハ．複数の受具４を屋根材１の鐙隆起１ｄのピッチで取り付ける。
【００１４】
Ｅ．図１に示す、実施例１の軒先の施工は次の様に行う。
ａ．屋根下地５の鼻隠５ｂに、次のように軒先面戸２を固定し、
イ．面戸板２ａを上方に向け、打付板２ｃを釘止めする。
ｂ．屋根下地５の広木舞５ｃに、複数の軒受具４ｇを取り付けた桟木３を締結具６により固定し、
ｃ．そして、瓦単位１ｈの長さから桟木３の幅を引いた距離離して、
イ．複数の受具４を取り付けた桟木３を締結具６により、野地板５ａに固定し、
ロ．さらに瓦単位１ｈの長さの距離離して、複数の受具４を取り付けた桟木３を締結具６により固定し、
ハ．ロをさらに複数回繰り返す、
ｄ．前記した、面戸板２ａに、軒先瓦１ａの鼻面１ｆを合わせて、
イ．前記した軒受具４ｇと受具４に鐙隆起１ｄが位置するように軒先瓦１ａを被せて、
ロ．その軒先瓦１ａを締結具６により受具４に固定する。
【００１５】
Ｆ．図１に示す、実施例１において換気流８は次の様に流れる。
ａ．軒先面戸２の換気孔２ｂから外気が吸い込まれて、吸入流８ａとなり、
ｂ．屋根材１の裏面と野地板５ａ間の空気が、受具４の中を流れて、導通流８ｂとなり流れる。
【００１６】
実施例２
図２，図３，図４，図５（ｃ），図７，図８（ａ），図８（ｄ），及び図９（ａ）は、この発明の軒先に使用される、実施例２を示すものである。
【００１７】
Ａ．実施例２において図２に示す軒先瓦１ａと、図３に示す桟瓦１ｂは、実施例１と同様のものが使用される。
【００１８】
Ｂ．図４に示す様に、実施例２においても実施例１と同様に施工される。
【００１９】
Ｃ．図５の（ｃ）に示す、実施例２に使用される軒先面戸２は、網の板材７を成形して、実施例１と同様の外形のものが使用される。
【００２０】
Ｄ．実施例２に使用される桟木３と受具４と取付板３ｄは、
ａ．図６の（ａ）に示す、実施例１と同様の桟木３が使用される
ｂ．図８の（ａ）に示す、実施例２に使用される受具４は、板材７を成形し、
イ．Ｕ字形に折り曲げて背中部４ａと、脇部４ｅを形成し、
ロ．その両方の脇部４ｅ中程を外側に折り曲げて腹部４ｂを形成し、
ハ．また脇部４ｅの４隅を延長し、足部４ｃを形成し、
ニ．その先端を鋭角に表面側に折り返して蹄部４ｄを形成している、
ｃ．図８の（ｄ）に示す、実施例２に使用される取付板３ｄは、板材７を成形し、
イ．円筒を縦割りした形状の雨通３ｇを形成し、
ロ．その両端を平面状に広げて、緩く上方に迫り上がった固定片３ｅを形成し、
ハ．その両端をコの字形に折り曲げて側片３ｆを形成し、
ｄ．図９の（ａ）に示す、桟木３と受具４と取付板３ｄとの施工は、
イ．桟木３の側板３ｂに、複数の取付板３ｄを、側片３ｆを介して溶接等により結合し、
ロ．屋根下地５に締結具６により取付板３ｄの固定片３ｅを固定し、
ハ．その桟木３の唇板３ｃの間に、受具４の蹄部４ｄを差し込み、
ニ．腹部４ｂが唇板３ｃに当たる程度に差し込まれると、足部４ｃが広がり蹄部４ｄが唇板３ｃに引っ掛かかり、
ホ．複数の受具４を屋根材１の瓦単位１ｈの長さピッチで取り付ける。
【００２１】
Ｅ．図７に示す、実施例２の軒先の施工は、桟木３が広木舞５ｃに直角に施工される。
【００２２】
Ｆ．図７に示す、実施例２において野地板５ａに流れ込んだ流水９は次の様に流れる。
ａ．野地板５ａに流れ込んだ流水９は野地板５ａを流れ下り、
ｂ．取付板３ｄに当たり、その固定片３ｅの傾斜に沿って流れ、雨通を通ってさらに流れ下り、
ｃ．ｂを繰り返して、軒先面戸２に達し、その換気孔２ｂから流れ出る。
【００２３】
実施例３
図２，図３，図４，図５（ｂ），図８（ｂ），図８（ｅ），図９（ｂ），及び図１０は、この発明の軒先に使用される、実施例３を示すものである。
【００２４】
Ａ．実施例３において図２に示す軒先瓦１ａと、図３に示す桟瓦１ｂは、実施例１と同様のものが使用される。
【００２５】
Ｂ．図４に示す様に、実施例３においても実施例１と同様に施工される。
【００２６】
Ｃ．図５の（ｂ）に示す、実施例３に使用される軒先面戸２は、
ａ．換気孔２ｂが弓状で弦の部分が切り離された、切起のものが使用される。
【００２７】
Ｄ．実施例３に使用される桟木３と受具４と取付板３ｄは、
ａ．木材の桟木３が使用され、
ｂ．図８の（ｂ）に示す、実施例３に使用される受具４は、板材７を成形し、
イ．Ｕ字形に折り曲げて背中部４ａと、脇部４ｅを形成し、
ロ．その両方の脇部４ｅ中程を内側に折り曲げて腹部４ｂを形成し、
ハ．また脇部４ｅの４隅を延長し、足部４ｃを形成し、
ニ．その先端を鋭角に尖らせて内側にＬ字形に折り曲げた蹄部４ｄを形成し、
ｃ．図８の（ｅ）に示す、実施例３に使用される取付板３ｄは、板材７を成形し、
イ．固定片３ｅの両端をコの字形に折り曲げて側片３ｆを形成し、
ｄ．図９の（ｂ）に示す、桟木３と受具４と取付板３ｄとの施工は、
イ．桟木３の側板３ｂに、複数の取付板３ｄを、側片３ｆを釘打ち等により結合し、
ロ．屋根下地５に締結具６により取付板３ｄの固定片３ｅを固定し、
ハ．その桟木３に、受具４の蹄部４ｄを開いて被せて、
ニ．腹部４ｃが桟木３ｃに当たった状態において、足部４の蹄部４ｄを桟木３に打ち込み固定する、
ホ．複数の受具４を屋根材１の瓦単位１ｈの長さピッチで取り付ける。
【００２８】
Ｅ．図１０に示す、実施例３の軒先の施工は、材木の桟木３に施工される。
【００２９】
実施例４
図３，図５（ｄ），図５（ｅ），図８（ｂ），図８（ｃ），図８（ｅ），図９（ｂ），図１１，図１２，図１３，図１４，及び図１８（ｂ）は、この発明の棟に使用される、実施例４を示すものである。
【００３０】
Ａ．図３と図１２に示す、実施例４に使用される屋根材１は、
ａ．実施例４において、図３に示す桟瓦１ｂは、実施例１と同様のものが使用される。
ｂ．また、図１２に示す棟瓦１ｎは、
イ．上記の桟瓦１ｂの後端を、表面側にＬ字形に屈曲し、立上面１ｇを形成している。
ｃ．また、図１４に示す棟包１ｉは、板材７を成形し、
イ．ほぼコの字形に折り曲げてその両端をＬ字形に外側に折り曲げて裾板１ｊを形成し、
ｄ．また、図１８の（ｂ）に示す、内棟２ｋは、板材７を成形し、
イ．ほぼ下向きのコの字形に折り曲げ、
ロ．その上部に複数の通気孔２ｌが形成されている。
【００３１】
Ｂ．図１３に示す、実施例４の屋根材１は次の様に施工される、
ａ．固定された一連の桟瓦１ｂの棟側の面段差１ｅに合わせて、棟瓦１ｎを施工し、
ｂ．棟瓦１ｎの立上面１ｇを、棟にそろえて施工する。
【００３２】
Ｃ．実施例４に使用される棟面戸２ｆと隙間板２ｊは、
ａ．図５の（ｄ）に示す、棟面戸２ｆは、板材７あるいは合成樹脂板を成形し、
ｂ．平坦な打付片２ｉを形成し、
ｃ．その一端をＬ字形に表面側に折り曲げて、その先端を軒先瓦１ａの横断面に合わせて面戸面２ｇを形成し、
ｄ．その面戸板２ｄに、円形の換気口２ｈを複数形成している。
ｅ．図５の（ｅ）に示す、隙間板２ｊは、木材を使用する。
【００３３】
Ｄ．実施例４に使用される桟木３と受具４と取付板３ｄは、
ａ．実施例３と最終の棟側に使用される棟受具４ｈが、受具４の背の低いものが使用される。
【００３４】
Ｅ．図１１に示す、実施例４の棟の施工は次の様に行う。
ａ．棟の屋根下地５の複数の受具４を取り付けた桟木３を締結具６により、野地板５ａに固定し、
ｂ．立上面１ｇを背中合わせに棟瓦１ｎを締結具６により固定し、
ｃ．その立上面１ｇに前記内棟２ｋを被せて、
ｄ．さらに、前記立上面１ｇの両外側に次のように、棟包１ｉを被せて、その裾板１ｊを締結具６により棟受具４ｈに固定する。
イ．まず、隙間板２ｊを棟瓦１ｎに乗せ、
ロ．その上に、面戸面２ｇを外側に向けて棟面戸２ｆを乗せ、
ハ．さらに、その打付片２ｉの上に棟包１ｉの裾板１ｊを乗せる。
【００３５】
Ｆ．図１１に示す、実施例４において換気流８は次の様に流れる。
ａ．屋根材１の裏面と野地板５ａ間の空気が、受具４の中を流れて、導通流８ｂとなり流れ、
ｂ．内棟２ｋの通気孔２ｌを通り、
ａ．棟面戸２ｆの換気口２ｈから屋外に吹き出されて、吹出流８ｃとなる。
【００３６】
実施例５
図５（ｂ），図５（ｅ），図５（ｆ），図８（ｂ），図８（ｅ），図９（ｂ），図１５，図１６，図１７，図１８（ａ），図１８（ｂ），及び図１９は、この発明の寄棟に使用される、実施例５を示すものである。
【００３７】
Ａ．実施例５において使用される屋根材１は、
ａ．図２に示す軒先瓦１ａと、実施例１と同様のものが使用され、
ｂ．また、図１８の（ｂ）に示す、内棟２ｋは、実施例４と同様のものが使用され、
ｃ．また、図１９に示す鬼棟包１ｋは、板材７を成形し、
イ．ほぼコの字形に折り曲げてその両端をＬ字形に外側に折り曲げて裾板１ｊを形成し、
ロ．その前端をくの字形に折り曲げ窄め、先端部を平坦にして、その下方を延長した両端をくの字に曲げて、前掛１ｍとした鬼面１ｌを形成している。
【００３８】
Ｂ．図１８に示す、実施例５立上板２ｄは、矩形の板材７を成形して、
ａ．桟瓦１ｂの、ほぼ４５度の断面のカーブを下端に持ち、
ｂ．その直線状の部分に、小片をＬ字形に折り曲げた取付脚２ｅを形成している。
【００３９】
Ｃ．実施例５に使用される棟面戸２ｆと隙間板２ｊは、
ａ．図５の（ｆ）に示す、棟面戸２ｆは、合成樹脂網の板材７を成形し、
ｂ．平坦な表打付片２ｉを形成し、
ｃ．その一端をＬ字形に表面側に折り曲げて、その先端を前記桟瓦１ｂの、ほぼ４５度の断面のカーブに合わせて面戸面２ｇを形成している。
ｅ．図５の（ｅ）に示す、隙間板２ｊは、実施例４と同じ形状の合成樹脂材を使用する。
【００４０】
Ｄ．実施例５に使用される、屋根材１は次の様に加工して施工する。
ａ．図１６と図１７に示すように、前記軒先瓦１ａを
イ．その右前端の角から左側にと、
ロ．その左前端の角から右側に
ほぼ４５度に切断した２種類の軒先瓦を形成し、
ｂ．その２種類の軒先瓦１ａに、前記した立上板２ｄを適宜切断して、隙間なく合わせて加工する。
【００４１】
Ｅ．図１５に示す、実施例５の寄棟の施工は次の様に行う。
ａ．棟のそれぞれの屋根下地５に、複数の受具４を取り付けた桟木３を締結具６により、野地板５ａに次の様に固定し、
イ．屋根下地５の流れ方向に合わせて、
ロ．棟からほぼ４５度傾かせて、
ｂ．立上板２ｄを背中合わせに軒先瓦１ａを締結具６により固定し、
ｃ．前記立上板２ｄに前記内棟２ｋを被せて、
ｄ．さらに、前記立上板２ｄの両外側に次のように、鬼棟包１ｋを被せて、その裾板１ｊを締結具６により受具４に固定する。
イ．まず、隙間板２ｊを軒先瓦１ａに乗せ、
ロ．その上に、面戸面２ｇを外側に向けて棟面戸２ｆを乗せ、
ハ．さらに、その打付片２ｉの上に棟包１ｉの裾板１ｊを乗せ、
ニ．前記した軒先瓦１ａの鼻面１ｆを、鬼棟包１ｋの前掛１ｍにより覆う。
【００４２】
【発明の効果】
上記のような、この発明による通気工法屋根には、次の様な効果がある。
【００４３】
Ａ．鐙隆起を持つ屋根材を中空の受具に固定することにより、
ａ．隆起した鐙隆起と中空の受具内を、屋根材の裏面と野地板間の空気が流れて、下地板に遮られ事なく導通流となり
イ．局所的な水分の溜まりがなくなる。
ｂ．屋根材の締結具が短いものが使用できる、
イ．締結力が増加する
ｃ．屋根材を受具が補強し、
イ．強度が向上する
ロ．屋根材の薄いものが使用できる
○コストが減少する
【００４４】
Ｂ．受具を装着した桟木を野地板に固定することにより、
ａ．受具を直線上に施工しやすくなる、
【００４５】
Ｃ．桟木を取付板を使用して取り付けることにより、
ａ．流れ方向の桟木を垂木に固定することが可能になり、
イ．固定力が強力になる。
ｂ．桟木のビッチが一定になり、
イ．施工性が向上する。
【００４６】
Ｄ．軒先部、あるいは棟部、または、その両者に、換気部材を設け
ａ．外気と屋根内部の空気との交流が盛んになり、
イ．通気性能が向上する
【００４７】
Ｅ．実施例１の広木舞に平行な桟木の場合は、
ａ．垂木に桟木を施工可能で、
イ．施工強度が上がる。
【００４８】
Ｆ．実施例１と実施例２の、板材を成形した桟木では、
ａ．受具の施工が容易になる
【００４９】
Ｇ．実施例２の雨通を設けた、迫り上がった固定片を持つ取付板では
イ．雨水の排出が容易になる。
【００５０】
Ｈ．実施例２、実施例３，実施例４、及び実施例５の流れ方向の桟木の場合、
ａ．屋根内の導通流が流れやすく、
イ．通気性能が向上する。
【００５１】
Ｉ．実施例３、実施例４、及び実施例５の木材の桟木では、
イ．断熱性能が向上する。
【００５２】
Ｊ．実施例５の寄棟の構成では、
ａ．屋根の末端まで換気可能で
イ．換気性能が向上する。
【図面の簡単な説明】
【図１】  実施例１の施工状態の斜視図
【図２】  実施例１、実施例２、実施例３、及び実施例５の屋根材の斜視図
【図３】  実施例１、実施例２、実施例３、実施例４、及び実施例５の屋根材の斜視図
【図４】  実施例１、実施例２、実施例３、及び実施例５の屋根材施工の斜視図
【図５】  実施例１、実施例２、実施例３、実施例４、及び実施例５の屋根部材の斜視図
【図６】  実施例１、及び実施例２の桟木、及び受具の斜視図
【図７】  実施例２の施工状態の斜視図
【図８】  実施例２、実施例３、及び実施例４の受具、及び取付板の斜視図
【図９】  実施例２、実施例３、実施例４、及び実施例５の桟木施工の斜視図
【図１０】  実施例３の施工状態の斜視図
【図１１】  実施例４の施工状態の斜視図
【図１２】  実施例４の屋根材の斜視図
【図１３】  実施例４の屋根材施工の斜視図
【図１４】  実施例４の棟包の斜視図
【図１５】  実施例５の施工状態の斜視図
【図１６】  実施例５の屋根材施工の斜視図
【図１７】  実施例５の屋根材施工の斜視図
【図１８】  実施例４、及び実施例５の内棟、並びに実施例５の立上板の斜視図
【図１９】  実施例５の鬼棟包の斜視図
【符号の説明】
１  屋根材
２  軒先面戸
３  桟木
４  受具
５  屋根下地
６  締結具
７  板材
８  換気流
９  流水
【図１】
0004582372.tif 000002
【図２】
0004582372.tif 000003
【図３】
0004582372.tif 000004
【図４】
0004582372.tif 000005
【図５】
0004582372.tif 000006
【図６】
0004582372.tif 000007
【図７】
0004582372.tif 000008
【図８】
0004582372.tif 000009
【図９】
0004582372.tif 000010
【図１０】
0004582372.tif 000011
【図１１】
0004582372.tif 000012
【図１２】
0004582372.tif 000013
【図１３】
0004582372.tif 000014
【図１４】
0004582372.tif 000015
【図１５】
0004582372.tif 000016
【図１６】
0004582372.tif 000017
【図１７】
0004582372.tif 000018
【図１８】
0004582372.tif 000019
【図１９】
0004582372.tif 000020